(57)【要約】【課題】水平ロッドに取り付ける棒状アンテナが多少変更された場合でも金具を変更せずに対応でき、かつ、棒状アンテナを水平ロッドに強固に取り付けることができると共に、風等によって棒状アンテナが揺れることを極力抑えることができる棒状アンテナ取付金具提供すること。【解決手段】水平ロッド２が嵌る凹部が設けられていると共に、その凹部の反対側の第１中間側面１１３側が棒状アンテナ３に当接する第１固定金具１１と、第２上側面と第２下側面とその間の第２中間側面とを有し、その第２上側面および第２下側面の先端部が棒状アンテナ３に当接して第１固定金具１１の第１中間側面１１３との間で棒状アンテナ３を挟持する第２固定金具１２とを有し、第１固定金具１１の第１中間側面１１３と第２固定金具１２の上側面および下側面の先端部とで棒状アンテナ３を挟持して水平ロッド２に固定する。【選択図】図８
2014229922.tif 000002
【特許請求の範囲】
【請求項１】
水平ロッドに対して棒状アンテナを取付けるための棒状アンテナ取付金具であって、
第１上側面と第１下側面とその間の第１中間側面とを有すると共に、その第１上側面と第１下側面と第１中間側面とにより囲まれた凹部に前記水平ロッドが嵌る一方、第１中間側面における凹部の反対側の面が棒状アンテナに当接する第１固定金具と、
第２上側面と第２下側面とその間の第２中間側面とを有し、その第２上側面および第２下側面の先端部が棒状アンテナに当接する第２固定金具とを有し、
前記第１固定金具の中間側面と第２固定金具の上側面および下側面の先端部とで棒状アンテナの外周面を挟持することにより水平ロッドに固定することを特徴とする棒状アンテナ取付金具。
【請求項２】
請求項１記載の棒状アンテナ取付金具において、
前記第１固定金具の中間側面における棒状アンテナに当接する部位には上下方向に延びる棒状アンテナ係合用長孔が設けられており、この棒状アンテナ係合用長孔の両側の角部が棒状アンテナの外周面に当接することを特徴とする棒状アンテナ取付金具。
【請求項３】
請求項２記載の棒状アンテナ取付金具において、
第２固定金具の上側面および下側面の先端部における棒状アンテナに当接する部位には、それぞれ前記第１固定金具の中間側面に設けた棒状アンテナ係合用長孔の水平方向の幅よりも開口幅を広くした棒状アンテナ係合用凹部が設けられていることを特徴とする棒状アンテナ取付金具。
【請求項４】
請求項１〜請求項３のいずれか一の請求項に記載の棒状アンテナ取付金具において、
水平ロッドには、棒状アンテナの外径以上の所定間隔で少なくとも２つのボルト孔が設けられている一方、
前記第１固定金具の中間側面と第２固定金具の中間側面には、それぞれ水平ロッドの２つのボルト孔に相当する位置に前記所定間隔でそれぞれボルト孔が設けられており、
水平ロッドを第１固定金具の凹部に嵌めて前記第１固定金具の中間側面と第２固定金具の上側面および下側面の先端部とで棒状アンテナの外周面を挟持すると共に、水平ロッド、第１固定金具および第２固定金具との間でそれぞれのボルト孔を位置合わせして、棒状アンテナの両側にそれぞれ固定ボルトを通して棒状アンテナを固定することを特徴とする棒状アンテナ取付金具。
【発明の詳細な説明】
【技術分野】
【０００１】
本発明は、水平ロッドに対して棒状アンテナを取付けるための棒状アンテナ取付金具に関する。
【背景技術】
【０００２】
携帯電話の基地局や中継局等のアンテナとしては、棒（ポール）状のアンテナ（以下、棒状アンテナという。）が利用されており、垂直ロッドになるべく多くの棒状アンテナを設置することが要求されている。そのため、例えば、棒状アンテナの基部を専用のアンテナ取付け金具の上面に固定し、そのアンテナ取付け金具を水平ロッドにボルト等により固定するようにした棒状アンテナ取付金具がある（例えば、特許文献１参照。）。
【先行技術文献】
【特許文献】
【０００３】
【特許文献１】特開平７−２４９９１１号公報
【発明の概要】
【発明が解決しようとする課題】
【０００４】
しかし、前述の従来の棒状アンテナ取付金具では、棒状アンテナの基部を専用のアンテナ取付け金具の上面に固定し、そのアンテナ取付け金具を水平ロッドにボルト等により固定するようにしていため、取り付けるべき棒状アンテナが変更された場合には、別途、アンテナ取付け金具も変更する必要があるという問題があった。
【０００５】
また、前述の従来の棒状アンテナ取付金具では、棒状アンテナの基部を専用のアンテナ取付け金具の上面に固定し、そのアンテナ取付け金具を水平ロッドにボルト等により固定しており、棒状アンテナを左右から固定する形態を採用しないため、棒状アンテナを水平ロッドに強固に取り付けることができないと共に、風等によって棒状アンテナが揺れ易いという問題もあった。
【０００６】
そこで、本発明は、このような問題に着目してなされたもので、水平ロッドに取り付ける棒状アンテナが多少変更された場合でも金具を変更せずに対応でき、かつ、棒状アンテナを水平ロッドに強固に取り付けることができると共に、風等によって棒状アンテナが揺れることを極力抑えることができる棒状アンテナ取付金具を提供することを目的とする。
【課題を解決するための手段】
【０００７】
上記課題を解決するため、本発明に係る棒状アンテナ取付金具は、水平ロッドに対して棒状アンテナを取付けるための棒状アンテナ取付金具であって、第１上側面と第１下側面とその間の第１中間側面とを有すると共に、その第１上側面と第１下側面と第１中間側面とにより囲まれた凹部に前記水平ロッドが嵌る一方、第１中間側面における凹部の反対側の面が棒状アンテナに当接する第１固定金具と、第２上側面と第２下側面とその間の第２中間側面とを有し、その第２上側面および第２下側面の先端部が棒状アンテナに当接する第２固定金具とを有し、前記第１固定金具の中間側面と第２固定金具の上側面および下側面の先端部とで棒状アンテナの外周面を挟持することにより水平ロッドに固定することを特徴とする。
ここで、前記第１固定金具の中間側面における棒状アンテナに当接する部位には上下方向に延びる棒状アンテナ係合用長孔が設けられており、この棒状アンテナ係合用長孔の両側の角部が棒状アンテナの外周面に当接すると良い。
また、第２固定金具の上側面および下側面の先端部における棒状アンテナに当接する部位には、それぞれ前記第１固定金具の中間側面に設けた棒状アンテナ係合用長孔の水平方向の幅よりも開口幅を広くした棒状アンテナ係合用凹部が設けられているとさらに良い。
また、水平ロッドには、棒状アンテナの外径以上の所定間隔で少なくとも２つのボルト孔が設けられている一方、前記第１固定金具の中間側面と第２固定金具の中間側面には、それぞれ水平ロッドの２つのボルト孔に相当する位置に前記所定間隔でそれぞれボルト孔が設けられており、水平ロッドを第１固定金具の凹部に嵌めて前記第１固定金具の中間側面と第２固定金具の上側面および下側面の先端部とで棒状アンテナの外周面を挟持すると共に、水平ロッド、第１固定金具および第２固定金具との間でそれぞれのボルト孔を位置合わせして、棒状アンテナの両側にそれぞれ固定ボルトを通して棒状アンテナを固定するとさらに良い。
【発明の効果】
【０００８】
本発明の棒状アンテナ取付金具では、第１固定金具と第２固定金具とを有し、前記第１固定金具の中間側面と第２固定金具の上側面および下側面の先端部とで棒状アンテナの外周面を挟持することにより水平ロッドに固定するようにしたため、水平ロッドに取り付ける棒状アンテナが多少変更された場合でも金具を変更せずに対応でき、かつ、棒状アンテナを水平ロッドに強固に取り付けることができると共に、風等によって棒状アンテナが揺れることを極力抑えることができる。
【図面の簡単な説明】
【０００９】
【図１】（ａ）〜（ｃ）それぞれ、本発明に係る棒状アンテナ取付金具を使用して棒状アンテナを取付ける水平ロッドを示す平面図、正面図、右側面図である。
【図２】（ａ），（ｂ）それぞれ、本発明に係る棒状アンテナ取付金具を構成する第１固定金具の斜視図、平面図である。
【図３】（ａ），（ｂ）それぞれ、本発明に係る棒状アンテナ取付金具を構成する第１固定金具の平面図、Ａ−Ａ線断面図である。
【図４】（ａ），（ｂ）それぞれ、本発明に係る棒状アンテナ取付金具を構成する第２固定金具の斜視図、平面図である。
【図５】（ａ），（ｂ）それぞれ、本発明に係る棒状アンテナ取付金具を構成する第２固定金具の平面図、Ｂ―Ｂ線断面図である。
【図６】本発明に係る棒状アンテナ取付金具を使用して水平ロッドに棒状アンテナを取付けた状態を示す正面図である。
【図７】本発明に係る棒状アンテナ取付金具を使用して水平ロッドに棒状アンテナを取付けた状態を示す右側面図である。
【図８】本発明に係る棒状アンテナ取付金具を使用して水平ロッドに棒状アンテナを取付けた際の一部切欠要部拡大平面図である。
【図９】本発明に係る棒状アンテナ取付金具を使用して水平ロッドに棒状アンテナを取付けた際の要部拡大正面図である。
【発明を実施するための形態】
【００１０】
以下、本発明にかかる棒状アンテナ取付金具の実施形態について、図面を参照して説明する。
【００１１】
本発明にかかる棒状アンテナ取付金具１は、水平ロッド２に対して棒状アンテナ３を取付けるためのもので、第１固定金具１１と、第２固定金具１２とを備えている。
【００１２】
水平ロッド２は、図１等に示すように、断面が正方形の角パイプ等から構成されており、ここでは、水平ロッド２の両端でそれぞれ１本ずつ棒状アンテナ３を取り付けるように構成されている。そのため、水平ロッド２の両側には、それぞれ、２つずつ棒状アンテナ３の外径以上の所定間隔で水平方向に貫通するボルト孔２ａ，２ｂが設けられており、水平ロッド２の両側でそれぞれ本発明にかかる棒状アンテナ取付金具１を使用する。
【００１３】
また、この水平ロッド２の中央には、この水平ロッド２を後述する図６や図７に示すよう垂直ロッド４の頭部に取り付けるため、垂直ロッド取付け金具２１を設けている。垂直ロッド取付け金具２１は、図１（ａ）に示すように垂直ロッド４の頭部の断面形状に合わせた例えば断面コ字状に形成されている。また、図１（ｃ）に示すように垂直ロッド取付け金具２１の両側面の上端部には、それぞれ水平ロッド２の外形に合わせた水平ロッド嵌合用凹部２１１を設けると共に、水平ロッド嵌合用凹部２１１の下方に垂直ロッド４の頭部に後述する固定ボルト４１ａ，４１ｂおよびダブルナット４２ａ，４２ｂ（図６，図７参照。）で固定するためのボルト孔２１ａ，２１ｂが設けられている。
【００１４】
第１固定金具１１は、図２および図３に示すように第１上側フランジ面１１１、第１上側面１１２、第１中間側面１１３、第１下側面１１４、第１下側フランジ面１１５とを有する上下フランジ面付きの断面コ字状で構成され、第１上側面１１２と第１中間側面１１３と第１下側面１１４の裏面側で形成される凹部に後述する図９に示すように水平ロッド２が嵌るように構成されている。なお、第１上側フランジ面１１１と第１下側フランジ面１１５は省略しても良い。
【００１５】
また、第１固定金具１１は、図２および図３に示すように水平ロッド２が嵌る凹部の反対側となる第１中間側面１１３の表面側が棒状アンテナ３に当接することになる。
【００１６】
そして、第１固定金具１１の第１中間側面１１３における棒状アンテナ３に当接する部位には、図２や図３に示すように上下方向（鉛直方向）に延びる角部１１６ａ，１１６ｂを有する棒状アンテナ係合用長孔１１６が設けられている。なお、本発明では、棒状アンテナ係合用長孔１１６は、省略しても良い。また、第１固定金具１１の両側には、水平ロッド２の両側に設けられた棒状アンテナ３の外径以上の所定間隔のボルト孔２ａ，２ｂと同じ間隔でボルト孔１１３ａ，１１３ｂが設けられている。
【００１７】
第２固定金具１２は、図４および図５に示すように第２上側面１２１と第２下側面１２３とその間の第２中間側面１２２とを有する断面コ字状に構成されており、その第２上側面１２１および第２下側面１２３の先端部が棒状アンテナ３に当接して第１固定金具１１の第１中間側面１１３との間で棒状アンテナ３を挟持する。
【００１８】
ここで、第２固定金具１２の第２上側面１２１および第２下側面１２３の先端部における棒状アンテナ３に当接する部位には、第１固定金具１１の第１中間側面１１３に設けた棒状アンテナ係合用長孔１１６の水平方向の幅ｈ１（図２（ａ）参照。）よりも開口幅ｈ２を広くした斜辺１２１ａ１，１２３ａ１、底片１２１ａ２，１２３ａ２および斜辺１２１ａ３，１２３ａ３を有する平面視台形形状の棒状アンテナ係合用凹部１２１ａ，１２３ａが設けられている。なお、本発明では、棒状アンテナ係合用凹部１２１ａ，１２３ａは平面視台形形状に限定されるものではなく、平面視Ｖ形形状等でも良いし、省略しても良い。
【００１９】
また、第２固定金具１２の第２中間側面１２２の両側には、水平ロッド２の両側に設けたボルト孔２ａ，２ｂや、第１固定金具１１の第１中間側面１１３に設けたボルト孔１１３ａ，１１３ｂと同じ間隔でボルト孔１２２ａ，１２２ｂが設けられている。
【００２０】
次に、以上のように構成された第１固定金具１１と第２固定金具１２からなる棒状アンテナ取付金具１を用いた棒状アンテナ３の取付けについて説明する。
【００２１】
図６〜図９は、それぞれ、本発明に係る棒状アンテナ取付金具１を使用して水平ロッド２に棒状アンテナ３を取付けた状態を示す正面図、右側面図、要部拡大平面図、要部拡大正面図である。
【００２２】
まず、図６および図７に示すように、垂直ロッド４の上部に垂直ロッド取付け金具２１を介して水平ロッド２を取り付ける。その際、水平ロッド２の両側面に設けられたボルト孔２１ａ，２１ｂ（図１（ｃ）参照。）にそれぞれボルト４１ａ，４１ｂを通してダブルナット４２ａ，４２ｂにより固定している。
【００２３】
なお、垂直ロッド４の下方には、垂直ロッド取付け金具４３，４４が設けられており、その垂直ロッド取付け金具４３，４４によって、電柱（図示せず。）に取り付けられた支柱（図示せず。）や、電柱（図示せず。）等に直接取り付ける。
【００２４】
次に、水平ロッド２への棒状アンテナ３の固定は、まずは棒状アンテナ取付金具１を水平ロッド２に取り付けるため、図８および図９に示すように第１固定金具１１の第１上側面１１２と第１中間側面１１３と第１下側面１１４の裏面側で形成される凹部に水平ロッド２を挿入する。次いで、第１固定金具１１の第１中間側面１１３と、第２固定金具１２の第２上側面１２１および第２下側面１２３の先端部とで棒状アンテナ３を挟持して水平ロッド２に固定するよう、水平ロッド２のボルト孔２ａ，２ｂ、第１固定金具１１の第１中間側面１１３のボルト孔１１３ａ，１１３ｂ、第２固定金具１２の第２中間側面１２２のボルト孔１２２ａ，１２２ｂの位置を合わせて、棒状アンテナ３の両側からそれぞれ固定ボルト４１ｃ，４１ｄを通してダブルナット４２ｃ，４２ｄにより締め付けて固定する。
【００２５】
すると、図８や図９に示すように、棒状アンテナ３の両側から水平ロッド２および第１固定金具１１と第２固定金具１２とが挟持して棒状アンテナ３を水平ロッド２に取り付けることになる。
【００２６】
その際、第１固定金具１１では、図２や図３、図８に示すように、第１中間側面１１３に上下方向（鉛直方向）に延びるように形成された棒状アンテナ係合用長孔１１６が形成されており、この棒状アンテナ係合用長孔１１６の上下方向（鉛直方向）に延びる両側の角部１１６ａ，１１６ｂが棒状アンテナ３の外周面に当接する。
【００２７】
一方、第２固定金具１２では、第２上側面１２１および第２下側面１２３それぞれの先端部に形成された棒状アンテナ係合用凹部１２１ａ，１２３ａの少なくとも斜辺１２１ａ１，１２１ａ３、１２３ａ１，１２３ａ３が棒状アンテナ３の外周面に当接する。なお、棒状アンテナ３の外径が細い場合には、棒状アンテナ係合用凹部１２１ａ，１２３ａのさらに底片１２１ａ２、１２３ａ２が棒状アンテナ３の外周面に当接する場合もある。
【００２８】
従って、本実施形態の棒状アンテナ取付金具１では、第１固定金具１１と第２固定金具１２とを有し、第１固定金具１１の第１中間側面１１３と、第２固定金具１２の第２上側面１２１および第２下側面１２３の先端部とで棒状アンテナ３の外周面を挟持して棒状アンテナ３を水平ロッド２に固定するようにしたため、棒状アンテナ３の外径が多少変更された場合でも金具を変更せずに対応できる。
【００２９】
また、棒状アンテナ３の外周面を第１固定金具１１と第２固定金具１２とで水平方向から挟持して棒状アンテナ３を水平ロッド２に固定するため、棒状アンテナ３を水平ロッド２に強固に取り付けることができると共に、風等によって棒状アンテナ３が揺れることを極力抑えることができる。
【００３０】
特に、この実施形態１の棒状アンテナ取付金具１では、棒状アンテナ３に当接する第１固定金具１１の第１中間側面１１３に上下方向（鉛直方向）に延びる細幅ｈ１の棒状アンテナ係合用長孔１１６を設けており、棒状アンテナ３の外周面に棒状アンテナ係合用長孔１１６の上下方向（鉛直方向）両側の角部１１６ａ，１１６ｂが棒状アンテナ３の外周面に当接するため、棒状アンテナ係合用長孔１１６を設けない場合よりも確実に棒状アンテナ３を挟持できると共に、棒状アンテナ３の長手方向に延びる棒状アンテナ係合用長孔１１６の角部１１６ａ，１１６ｂが棒状アンテナ３の外周面に係合するため、棒状アンテナ３の回転もより確実に防止できる。
【００３１】
また、この実施形態１の棒状アンテナ取付金具１では、第２固定金具１２の第２上側面１２１および第２下側面１２３の先端部における棒状アンテナ３に当接する部位には、それぞれ棒状アンテナ係合用凹部１２１ａ，１２３ａが設けられており、その棒状アンテナ係合用凹部１２１ａ，１２３ａの開口幅ｈ２は第１固定金具１１の第１中間側面１１３に設けた棒状アンテナ係合用長孔１１６の水平方向の幅ｈ１よりも広い。そのため、第１固定金具１１の第１中間側面１１３に設けた棒状アンテナ係合用長孔１１６と棒状アンテナ３の外周面との当接を１点とみなした場合、第２上側面１２１および第２下側面１２３それぞれの先端部に形成された棒状アンテナ係合用凹部１２１ａ，１２３ａの少なくとも斜辺１２１ａ１，１２１ａ３、１２３ａ１，１２３ａ３の各２点を合わせた少なくとも３点以上で棒状アンテナ３の外周面に当接するので、この点でも棒状アンテナ３を強固に固定することが可能となる。なお、棒状アンテナ３の外径が細い場合には、棒状アンテナ３の外周面に棒状アンテナ係合用凹部１２１ａ，１２３ａの底片１２１ａ２，１２３ａ２も当接することになるため、４点で棒状アンテナ３の外周面に当接することになる。特に、第２上側面１２１および第２下側面１２３それぞれの先端部に形成された棒状アンテナ係合用凹部１２１ａ，１２３ａは、棒状アンテナ３の外周面に対し垂直に当接しているため、棒状アンテナ３の上下方向のズレを防止できる。
【符号の説明】
【００３２】
１  棒状アンテナ取付金具
１１  第１固定金具
１１１  第１上側フランジ面
１１２  第１上側面
１１３  第１中間側面
１１３ａ，１１３ｂ  ボルト孔
１１４  第１下側面
１１５  第１下側フランジ面
１１６  棒状アンテナ係合用長孔
１１６ａ，１１６ｂ  角部
１２  第２固定金具
１２１  第２上側面
１２２  第２中間側面
１２２ａ，１２２ｂ  ボルト孔
１２３  第２下側面
１２１ａ，１２３ａ  棒状アンテナ係合用凹部
１２１ａ１，１２３ａ１  斜辺
１２１ａ２，１２３ａ２  底片
１２１ａ３，１２３ａ３  斜辺
２  水平ロッド
２ａ，２ｂ  ボルト孔
２１  垂直ロッド取付け金具
２１ａ，２１ｂ  ボルト孔
３  棒状アンテナ
４  垂直ロッド
４１ａ〜４１ｄ  固定ボルト
４２ａ〜４２ｄ  ダブルナット
４３，４４  垂直ロッド取付け金具
【図１】
2014229922.tif 000003
【図２】
2014229922.tif 000004
【図３】
2014229922.tif 000005
【図４】
2014229922.tif 000006
【図５】
2014229922.tif 000007
【図６】
2014229922.tif 000008
【図７】
2014229922.tif 000009
【図８】
2014229922.tif 000010
【図９】
2014229922.tif 000011